(57)【要約】【課題】時刻情報や位置情報等の携帯端末から得られる情報を用いてユーザ毎のコンテンツの使用制限を行う。【解決手段】コンテンツ配信サーバ１００は、データベース１２０に記録されているコンテンツデータ毎に、予め使用可能なユーザ情報、地域情報、時間情報、禁止キーワード、禁止画像等の配信制限設定を行っておく（ステップＳ１１）。ユーザの携帯電話１０から送信されたコンテンツデータの送信要求、現在時刻情報、現在位置情報、及び携帯端末情報を取得すると（ステップＳ１２）、これらの情報と配信制限設定に基づいて、配信可能なコンテンツデータをデータベース１２０から読み出し、禁止キーワード、禁止画像についてデータの改変を行う（ステップＳ１３）。さらに改変したコンテンツデータを送信要求のあった携帯電話１０に送信する（ステップＳ１５）。【選択図】  図９
2010044642.tif 000002
【特許請求の範囲】
【請求項１】
データベースに記録されたコンテンツデータを携帯端末に配信するコンテンツ配信サーバにおいて、
ユーザがコンテンツデータ毎に設定した配信制限であって、少なくとも配信可能なユーザ情報と位置情報とからなる配信制限を前記コンテンツデータと関連付けてデータベースに記録する記録手段と、
コンテンツを配信する携帯端末のユーザ情報と現在位置情報を取得する取得手段と、
前記関連付けて記録されている配信制限と前記取得した情報に基づいて、コンテンツデータ毎に前記携帯端末への配信の可否を判断する判断手段と、
前記判断手段により配信可と判断されたコンテンツデータを前記携帯端末に配信する配信手段と、
を備えたことを特徴とするコンテンツ配信サーバ。
【請求項２】
前記配信制限は配信可能な時刻情報を含み、
前記判断手段は、前記配信制限と前記配信手段がコンテンツを配信する時刻に基づいて、コンテンツデータ毎の前記携帯端末への配信の可否を判断することを特徴とする請求項１に記載のコンテンツ配信サーバ。
【請求項３】
前記配信手段は、前記携帯端末で指定されたコンテンツデータを前記携帯端末に配信することを特徴とする請求項１又は２に記載のコンテンツ配信サーバ。
【請求項４】
前記配信制限はコンテンツ内での使用を禁止する禁止キーワード又は／及び禁止画像を含み、
前記禁止キーワード又は／及び禁止画像に基づいてコンテンツデータを改変する改変手段を備えたことを特徴とする請求項１から３のいずれかに記載のコンテンツ配信サーバ。
【請求項５】
前記改変手段は、コンテンツデータが文書データ又は画像データの場合に、前記文書データ又は画像データ内に存在する前記禁止キーワード又は禁止画像を、異なるキーワード又は画像に置換することを特徴とする請求項４に記載のコンテンツ配信サーバ。
【請求項６】
前記改変手段は、コンテンツデータが文書データ又は画像データの場合に、前記文書データ又は画像データ内に存在する前記禁止キーワード又は禁止画像を閲覧不可能に隠蔽することを特徴とする請求項４に記載のコンテンツ配信サーバ。
【請求項７】
前記改変手段は、コンテンツデータが動画データ又は音声データの場合に、前記動画データ又は音声データ内に存在する前記禁止キーワードを別のキーワードに置換することを特徴とする請求項４に記載のコンテンツ配信サーバ。
【請求項８】
前記改変手段は、コンテンツデータが動画データ又は音声データの場合に、前記動画データ又は音声データ内に存在する前記禁止キーワードを聴取不可能に隠蔽することを特徴とする請求項４に記載のコンテンツ配信サーバ。
【請求項９】
データベースに記録されたコンテンツデータを携帯端末に配信するコンテンツ配信方法において、
ユーザがコンテンツデータ毎に設定した配信制限であって、少なくとも配信可能なユーザ情報と位置情報とからなる配信制限を前記コンテンツデータと関連付けてデータベースに記録する記録工程と、
コンテンツを配信する携帯端末のユーザ情報と現在位置情報を取得する取得工程と、
前記関連付けて記録されている配信制限と前記取得した情報に基づいて、コンテンツデータ毎に前記携帯端末への配信の可否を判断する判断工程と、
前記判断工程により配信可と判断されたコンテンツデータを前記携帯端末に配信する配信工程と、
を備えたことを特徴とするコンテンツ配信方法。
【発明の詳細な説明】
【技術分野】
【０００１】
本発明はコンテンツ配信サーバ及びコンテンツ配信方法に係り、特に、時刻情報や位置情報に基づいてユーザ毎のコンテンツの使用制限を行うコンテンツ配信サーバ及びコンテンツ配信方法に関する。
【背景技術】
【０００２】
端末装置でのコンテンツ閲覧について制限を行う場合は、ユーザＩＤとパスワードによって本人を確認し、予め設定されたユーザ権限と照らし合わせて閲覧の可否を判断することが一般的である。これに対し、コンテンツの一部だけについて利用制限を行いたい場合もある。
【０００３】
特許文献１には、隠蔽領域指定で指定された領域を隠蔽する隠蔽手段を備えた画像処理装置が記載されている。この装置によれば、利用制限を課しながらも利用制限の課される情報が含まれている領域のみを隠蔽して複写等ができるのみならず、関連情報に基づいて隠蔽される領域を変更することができる。
【特許文献１】特開２００７−１６６３４１号公報
【発明の開示】
【発明が解決しようとする課題】
【０００４】
しかしながら、特許文献１の技術は画像データに対する制限しか行えず、文書データ等に対して制限することができないという問題点があった。また、特定のユーザに対する細かい設定ができないという問題点もあった。
【０００５】
本発明はこのような事情に鑑みてなされたもので、時刻情報や位置情報等の携帯端末から得られる情報を用いてユーザ毎のコンテンツの使用制限を行うことで、セキュリティや利便性の向上を図るコンテンツ配信サーバ及びコンテンツ配信方法を提供することを目的とする。
【課題を解決するための手段】
【０００６】
前記目的を達成するために請求項１に記載のコンテンツ配信サーバは、データベースに記録されたコンテンツデータを携帯端末に配信するコンテンツ配信サーバにおいて、ユーザがコンテンツデータ毎に設定した配信制限であって、少なくとも配信可能なユーザ情報と位置情報とからなる配信制限を前記コンテンツデータと関連付けてデータベースに記録する記録手段と、コンテンツを配信する携帯端末のユーザ情報と現在位置情報を取得する取得手段と、前記関連付けて記録されている配信制限と前記取得した情報に基づいて、コンテンツデータ毎に前記携帯端末への配信の可否を判断する判断手段と、前記判断手段により配信可と判断されたコンテンツデータを前記携帯端末に配信する配信手段とを備えたことを特徴とする。
【０００７】
これによれば、ユーザが設定した配信可能なユーザ情報と位置情報とからなる配信制限と、コンテンツを配信する携帯端末のユーザ情報と現在位置情報とに基づいて、コンテンツデータ毎に前記携帯端末への配信の可否を判断し、前記判断手段により配信可と判断されたコンテンツデータを前記携帯端末に配信するようにしたので、ユーザ毎に、ユーザの現在位置に対応したコンテンツデータを配信することができ、セキュリティや利便性の向上を図ることができる。
【０００８】
請求項２に示すように請求項１に記載のコンテンツ配信サーバにおいて、前記配信制限は配信可能な時刻情報を含み、前記判断手段は、前記配信制限と前記配信手段がコンテンツを配信する時刻に基づいて、コンテンツデータ毎の前記携帯端末への配信の可否を判断することを特徴とする。
【０００９】
これにより、ユーザ毎に、時刻に対応したコンテンツデータを配信することができ、セキュリティや利便性の向上を図ることができる。
【００１０】
請求項３に示すように請求項１又は２に記載のコンテンツ配信サーバにおいて、前記配信手段は、前記携帯端末で指定されたコンテンツデータを前記携帯端末に配信することを特徴とする。
【００１１】
これにより、ユーザの所望のコンテンツデータをのみを配信することができ、不要なコンテンツデータ配信による無駄な通信を無くすことができる。
【００１２】
請求項４に示すように請求項１から３のいずれかに記載のコンテンツ配信サーバにおいて、前記配信制限はコンテンツ内での使用を禁止する禁止キーワード又は／及び禁止画像を含み、前記禁止キーワード又は／及び禁止画像に基づいてコンテンツデータを改変する改変手段を備えたことを特徴とする。
【００１３】
これにより、ユーザ毎に、コンテンツ内での使用を禁止する禁止キーワード又は禁止画像に基づいてコンテンツデータを改変することができ、セキュリティや利便性の向上を図ることができる。
【００１４】
請求項５に示すように請求項４に記載のコンテンツ配信サーバにおいて、前記改変手段は、コンテンツデータが文書データ又は画像データの場合に、前記文書データ又は画像データ内に存在する前記禁止キーワード又は禁止画像を、異なるキーワード又は画像に置換することを特徴とする。
【００１５】
これにより、コンテンツデータが文書データ又は画像データの場合に、ユーザに禁止キーワード又は禁止画像を認識させずにコンテンツデータを配信することができる。
【００１６】
請求項６に示すように請求項４に記載のコンテンツ配信サーバにおいて、前記改変手段は、コンテンツデータが文書データ又は画像データの場合に、前記文書データ又は画像データ内に存在する前記禁止キーワード又は禁止画像を閲覧不可能に隠蔽することを特徴とする。
【００１７】
これにより、コンテンツデータが文書データ又は画像データの場合に、ユーザに禁止キーワード又は禁止画像を認識させずにコンテンツデータを配信することができる。
【００１８】
請求項７に示すように請求項４に記載のコンテンツ配信サーバにおいて、前記改変手段は、コンテンツデータが動画データ又は音声データの場合に、前記動画データ又は音声データ内に存在する前記禁止キーワードを別のキーワードに置換することを特徴とする。
【００１９】
これにより、コンテンツデータが動画データ又は音声データの場合に、ユーザに禁止キーワードを認識させずにコンテンツデータを配信することができる。
【００２０】
請求項８に示すように請求項４に記載のコンテンツ配信サーバにおいて、前記改変手段は、コンテンツデータが動画データ又は音声データの場合に、前記動画データ又は音声データ内に存在する前記禁止キーワードを聴取不可能に隠蔽することを特徴とする。
【００２１】
これにより、コンテンツデータが動画データ又は音声データの場合に、ユーザに禁止キーワードを認識させずにコンテンツデータを配信することができる。
【００２２】
前記目的を達成するために請求項９に記載のコンテンツ配信方法は、データベースに記録されたコンテンツデータを携帯端末に配信するコンテンツ配信方法において、ユーザがコンテンツデータ毎に設定した配信制限であって、少なくとも配信可能なユーザ情報と位置情報とからなる配信制限を前記コンテンツデータと関連付けてデータベースに記録する記録工程と、コンテンツを配信する携帯端末のユーザ情報と現在位置情報を取得する取得工程と、前記関連付けて記録されている配信制限と前記取得した情報に基づいて、コンテンツデータ毎に前記携帯端末への配信の可否を判断する判断工程と、前記判断工程により配信可と判断されたコンテンツデータを前記携帯端末に配信する配信工程とを備えたことを特徴とする。
【００２３】
これによれば、ユーザが設定した配信可能なユーザ情報と位置情報とからなる配信制限と、コンテンツを配信する携帯端末のユーザ情報と現在位置情報とに基づいて、コンテンツデータ毎に前記携帯端末への配信の可否を判断し、前記判断手段により配信可と判断されたコンテンツデータを前記携帯端末に配信するようにしたので、ユーザ毎に、ユーザの現在位置に対応したコンテンツデータを配信することができ、セキュリティや利便性の向上を図ることができる。
【発明の効果】
【００２４】
本発明によれば、ユーザが設定した配信可能なユーザ情報と位置情報とからなる配信制限と、コンテンツを配信する携帯端末のユーザ情報と現在位置情報とに基づいて、コンテンツデータ毎に前記携帯端末への配信の可否を判断し、前記判断手段により配信可と判断されたコンテンツデータを前記携帯端末に配信するようにしたので、ユーザ毎に、ユーザの現在位置に対応したコンテンツデータを配信することができ、セキュリティや利便性の向上を図ることができる。
【発明を実施するための最良の形態】
【００２５】
以下に、本発明を実施するための最良の形態について説明する。
【００２６】
図１は、本発明に係るコンテンツ配信システム１の構成の一例を示す図である。同図に示すように、コンテンツ配信システム１は、携帯電話１０、コンテンツ配信サーバ１００、データベース１２０、インターネット２００、交換網２０１等を備えて構成される。
【００２７】
インターネット２００は、所定のプロトコルに従ってデータ等が伝送される通信ネットワークである。
【００２８】
携帯電話１０は、それぞれ固有の端末ＩＤが付与されており、通常の通話機能の他、インターネット２００への接続機能を備えている。また、図示しないＧＰＳアンテナによって複数のＧＰＳ衛星からＧＰＳ信号を受信し、携帯電話１０の現在位置を特定することが可能である。
【００２９】
コンテンツ配信サーバ１００は、交換網２０１を介してインターネット２００に接続される。交換網２０１は、例えば社内システムのようなネットワークシステムであり、携帯電話１０とコンテンツ配信サーバ１００は、所定のプロトコルを用いてインターネット２００を介したデータの送受信を行うことが可能である。
【００３０】
図２は、コンテンツ配信サーバ１００の電気的構成を示すブロック図である。同図に示すように、コンテンツ配信サーバ１００は、中央演算装置１０１、メモリ１０２、操作制御部１０３、キーボード１０４、表示制御部１０５、ディスプレイ１０６、バス１０７、ネットワークインターフェース１０８、ストレージ制御部１０９、及びストレージ１１０等から構成されている。また、中央演算装置１０１、メモリ１０２、操作制御部１０３、表示制御部１０５、ネットワークインターフェース１０８、及びストレージ制御部１０９は、バス１０７を介して互いに情報を送受信できるように構成されている。
【００３１】
中央演算装置１０１は、ストレージ１１０に記録された制御プログラムをストレージ制御部１０９を介して読み出し、メモリ１０２にロードする。このメモリ１０２にロードした制御プログラムを実行し、コンテンツ配信サーバ１００の各部を統括制御する。
【００３２】
キーボード１０４から入力された情報は、操作制御部１０３を介して中央演算装置１０１に入力され、中央演算装置１０１は、入力された情報に基づいた動作を実行する。表示を伴う動作の場合は、表示制御部１０５を介してディスプレイ１０６に表示が行われる。
【００３３】
ネットワークインターフェース１０８は、所定のプロトコルを用いてインターネット２００やデータベース１２０との通信を行う。
【００３４】
なお、コンテンツ配信サーバ１００とデータベース１２０は、ネットワークを介した接続でなく、ＩＤＥやＵＳＢ等を用いて接続してもよい。
【００３５】
データベース１２０は、ハードディスク装置などの大容量記憶装置で構成されており、携帯電話１０で使用される文書データ、音声データ、画像データ、動画データ等の各種コンテンツや、ユーザ情報、後述する各種配信制限条件等が記録されている。ユーザ情報は、コンテンツ配信サーバ１００にアクセス権限のあるユーザの情報である。また、配信制限条件は、各コンテンツがユーザに配信される上で、配信されるユーザ毎に設定されたコンテンツの使用制限するための条件であり、地域情報、時間情報、禁止キーワード情報、禁止画像情報等がある。これらの配信制限条件は、予め場合分けされており、それぞれＩＤが付与されている。
【００３６】
図３は、データベース１２０に記録されているユーザ情報の一例である。各ユーザの情報として、ユーザＩＤ、ユーザ名、及び携帯電話１０の端末ＩＤが記録されている。
【００３７】
図４は、データベース１２０に記録されている地域情報の一例である。地域情報として、地域ＩＤ、地域名、緯度経度を用いた地域範囲が記録されている。ユーザが所属する企業の事業所毎に、事業所ＩＤ、事業所名、事業所の敷地範囲を記録しておいてもよい。地域情報のうちいずれかの地域ＩＤが選択されて設定されたコンテンツは、その地域ＩＤに該当する地域範囲でしか使用することができなくなる。
【００３８】
図５は、データベース１２０に記録されている時間情報の一例である。時間帯ごとに、時間ＩＤ、時間帯、及び期限が記録されている。時間情報のうちいずれかの時間ＩＤが選択されて設定されたコンテンツは、その時間ＩＤに該当する時間帯及び期限でしか使用することができなくなる。
【００３９】
図６は、データベース１２０に記録されているコンテンツ情報の一例である。各コンテンツのＩＤと、コンテンツデータのファイルが存在するパス情報が記録されている。
【００４０】
図７は、データベース１２０に記録されている禁止キーワード情報の一例である。各禁止キーワードのＩＤと、キーワードが記録されている。禁止キーワード情報のうちいずれかの禁止キーワードが選択されて設定されたコンテンツは、設定された禁止キーワードが認識されないように改変されてユーザに配信される。
【００４１】
図８は、データベース１２０に記録されている禁止画像情報の一例である。各禁止画像のＩＤと、禁止画像のファイルが存在するパス情報が記録されている。禁止画像情報のうちいずれかの禁止画像が選択されて設定されたコンテンツは、設定された禁止画像が認識されないように改変されてユーザに配信される。
【００４２】
次に、図９を用いてコンテンツ配信システム１の動作について説明する。
【００４３】
ユーザは、データベース１２０に記録されているコンテンツデータに対して、予め配信制限の設定を行っておく（ステップＳ１１）。例えば、閲覧可能なユーザＩＤ、地域ＩＤ、時間ＩＤ、禁止キーワード、禁止画像を設定する。図１０は、コンテンツデータに設定された配信制限についての一例を示す図である。
【００４４】
図１０に示す例では、コンテンツＩＤ＝１のコンテンツデータに対して、ユーザＩＤ＝１のユーザは、地域ＩＤ＝ＡＬＬであるため、全ての地域で使用可能である。また、時間ＩＤ＝ＡＬＬであるため、全ての時間帯において使用可能である。さらに、禁止キーワードと禁止画像の設定もされていない。
【００４５】
これに対し、ユーザＩＤ＝２のユーザは、コンテンツＩＤ＝１のコンテンツデータについて、地域ＩＤ＝１、時間ＩＤ＝１、２、禁止キーワードＩＤ＝５、１０、禁止画像ＩＤ＝６が設定されているため、ユーザＩＤ＝２のユーザにコンテンツＩＤ＝１のコンテンツデータが配信されるのは、地域ＩＤ＝１の地域、時間ＩＤ＝１、２の時間帯及び期限だけに制限される。また禁止キーワードＩＤ＝５、１０の禁止キーワード及び禁止画像ＩＤ＝６の禁止画像は認識不可能に改変されて提供される。同様に、ユーザＩＤ＝３のユーザについては、地域ＩＤ＝１の地域において、時間ＩＤ＝１の時間帯及び期限だけコンテンツＩＤ＝１のコンテンツデータを配信可能となっている。また、禁止キーワードＩＤ＝５の禁止キーワードが認識不可能に改変されて配信される。
【００４６】
また、コンテンツＩＤ＝２のコンテンツデータについては、ユーザＩＤ＝１、３、５のユーザだけに配信可能となっており、ユーザＩＤ＝１、５のユーザについては、地域と時間帯の制限、及び禁止キーワード、禁止画像が設定されている。
【００４７】
このように、各コンテンツデータに対して、予め配信制限の設定を行っておく。図１１は、このように設定された配信制限の設定について、地域別に分類したものである。例えば、地域ＩＤ＝１の地域において、ユーザＩＤ＝３２、５１、５７のユーザが時間ＩＤ＝２の時間帯に、コンテンツＩＤ＝５２、６２、７７、１５４のコンテンツデータを使用可能となっている。このとき、禁止キーワードＩＤ＝２、６の禁止キーワードと禁止画像ＩＤ＝３の禁止画像が設定されている。
【００４８】
コンテンツの配信を希望するユーザは、携帯電話１０を用いて、コンテンツ配信サーバ１００に対してコンテンツ送信要求を行う（ステップＳ１）。このとき、携帯電話１０は、コンテンツ送信要求信号とともに、現在時刻情報、ＧＰＳから得られた現在位置情報、及び予め付与されている携帯端末ＩＤをコンテンツ配信サーバ１００に送信する。コンテンツ配信サーバ１００は、携帯電話１０から送信されたコンテンツ送信要求、現在時刻情報、現在位置情報、及び携帯端末ＩＤを受信する（ステップＳ１２）。図１２は、携帯電話１０からコンテンツ配信サーバ１００に対して送信される情報の一例を示す図である。
【００４９】
本実施の形態では、ユーザを識別するために携帯電話１０に付与されている携帯端末ＩＤを用いているが、携帯端末ＩＤの代わりに、音声データ、画像データ、ユーザＩＤとパスワードからなるユーザ登録情報等を用いてユーザを識別してもよい。また、コンテンツ送信要求の時刻情報は、携帯電話１０から送信するのではなく、コンテンツ配信サーバ１００に内蔵される時計から取得してもよい。
【００５０】
次に、コンテンツ配信サーバ１００は、予め設定されているコンテンツの配信制限設定に基づいて、データベース１２０からコンテンツデータを読み出し、改変を行う（ステップＳ１３）。例えば、ユーザＩＤ＝３２のユーザが、地域ＩＤ＝１の地域において時間ＩＤ＝２の時間帯にコンテンツ送信要求をした場合は、図１１に示すように、コンテンツＩＤ＝５２、６２、７７、１５４のコンテンツデータをデータベース１２０から読み出す。さらに、読み出したコンテンツデータから禁止キーワードＩＤ＝２、６の禁止キーワードと、禁止画像ＩＤ＝３の禁止画像を抽出し、それぞれ異なるキーワードや画像と置換、または閲覧、聴取不可能に隠蔽する。禁止キーワード、禁止画像の検出は、既存のテキスト検索、音声認識、類似画像検索アルゴリズムを用いる。
【００５１】
図１３（ａ１）に、コンテンツＩＤ＝５２の文書データを示す。ここで、禁止キーワードＩＤ＝２の禁止キーワードが「○○社」であるとすると、コンテンツ配信サーバ１００の中央演算装置１０１は、コンテンツＩＤ＝５２の文書データから「○○社」の文字を抽出し、他の文字に置換、または閲覧不可能に黒く塗りつぶす。また、禁止キーワードの領域の表示を行わないように構成してもよい。
【００５２】
図１３（ａ２）は、禁止キーワード「○○社」を禁止キーワードとは異なる「××社」に置換して改変した文書データを示しており、図１３（ａ３）は、禁止キーワード「○○社」を閲覧不可能に黒く塗りつぶして改変した文書データを示している。なお、画像データのコンテンツに含まれている禁止キーワードについても、同様の処理を行えばよい。
【００５３】
また、図１３（ｂ１）に、コンテンツＩＤ＝６２の音声データを示す。この音声データには、禁止キーワードＩＤ＝２の「○○社」が含まれており、中央演算装置１０１は、コンテンツＩＤ＝６２の音声データから「○○社」の部分を抽出し、他の言葉に置換、または聴取不可能に上から他の音を被せる、または消去して無音化する。図１３（ｂ２）は、禁止キーワード「○○社」を禁止キーワードとは異なる「××社」に置換して改変した音声データを示しており、図１３（ｂ３）は、禁止キーワード「○○社」を聴取不可能に消去して改変した音声データを示している。なお、動画データのコンテンツの音声部に含まれている禁止キーワードについても、同様の処理を行って改変すればよい。
【００５４】
さらに、図１３（ｃ１）に、コンテンツＩＤ＝７７の文書データを示す。この文書データには、禁止画像ＩＤ＝３の禁止画像が含まれており、中央演算装置１０１は、コンテンツＩＤ＝７７の文書データからこの禁止画像を抽出し、別の画像に置換、または閲覧不可能に黒く塗りつぶす。また、禁止画像の領域の表示を行わないように構成してもよい。
【００５５】
図１３（ｃ２）は、禁止画像ＩＤ＝３の禁止画像を別の画像に置換して改変した文書データを示しており、図１３（ｃ３）は、禁止画像ＩＤ＝３の禁止画像を閲覧不可能に黒く塗りつぶして改変した文書データを示している。なお、文書データ中の画像は、データベース１２０に記録されている禁止画像と大きさが異なっている場合であっても、縮小・拡大することにより禁止画像と同じ画像となる画像であれば、禁止画像と判断される。また、画像データのコンテンツにおいて、禁止画像と実質的に同じであると認識される部分が存在する場合についても、同様の処理を行って改変すればよい。
【００５６】
コンテンツデータの読み出しと改変が終了したら、配信可能か否かを判定する（ステップＳ１４）。配信可能なコンテンツデータが存在しない場合は、携帯電話１０に対してエラーメッセージを送信する（ステップＳ１６）。配信可能なコンテンツデータが存在する場合は、携帯電話１０に対して、改変したコンテンツを送信する。ユーザＩＤ＝３２のユーザが地域ＩＤ＝１の地域において、時間ＩＤ＝２の時間帯にコンテンツ送信要求をした場合は、コンテンツＩＤ＝５２、６２、７７、１５４のコンテンツデータの改変データを送信する。なお、全ての送信可能な改変データを送信するのではなく、携帯電話１０から所望のコンテンツデータを選択し、選択されたコンテンツデータの改変データだけを送信してもよい。
【００５７】
携帯電話１０は、コンテンツ配信サーバ１００から送信された改変コンテンツ、またはエラーメッセージを受信し（ステップＳ２）、これらを表示部に閲覧可能に表示、または音声出力部に聴取可能に出力する（ステップＳ３）。
【００５８】
例えば、ユーザから送信要求のあったコンテンツの一部に、そのユーザに対して使用させることができない部分が含まれている場合に、そのコンテンツをそのまま配信してしまってはセキュリティ上問題があり、コンテンツの配信を行わないのでは利便性に欠けてしまう。そこで、本発明のように、コンテンツの送信要求を行ったユーザに対し、そのユーザの取得可能コンテンツデータを読み出し、そのユーザに設定された禁止キーワードや禁止画像についてコンテンツデータの改変を行ってからユーザに配信することにより、セキュリティや利便性の向上を図ることができる。また、同じコンテンツデータであっても、ユーザ毎に禁止キーワードや禁止画像の設定が行えるため、各ユーザは最小限に改変されたコンテンツを使用することができる。
【００５９】
なお、改変したコンテンツデータは、データベース１２０に保持される。再度同様の制限が必要な場合に、その改変したコンテンツデータをデータベース１２０から読み出して再使用することで、ユーザの待ち時間を短縮することが可能となる。
【図面の簡単な説明】
【００６０】
【図１】図１は、本発明に係るコンテンツ配信システム１の構成の一例を示す図である。
【図２】図２は、コンテンツ配信システム１の動作を示すフローチャートである。
【図３】図３は、データベース１２０に記録されているユーザ情報の一例である。
【図４】図４は、データベース１２０に記録されている地域情報の一例である。
【図５】図５は、データベース１２０に記録されている時間指定情報の一例である。
【図６】図６は、データベース１２０に記録されているコンテンツ情報の一例である。
【図７】図７は、データベース１２０に記録されている禁止キーワード情報の一例である。
【図８】図８は、データベース１２０に記録されている禁止画像情報の一例である。
【図９】図９は、コンテンツ配信サーバ１００の電気的構成を示すブロック図である。
【図１０】図１０は、コンテンツデータに設定された配信制限についての一例を示す図である。
【図１１】図１１は、コンテンツに設定された配信制限について、地域別に分類したものである。
【図１２】図１２は、携帯電話１０からコンテンツ配信サーバ１００に対して送信される情報の一例を示す図である。
【図１３】図１３は、各文書データの元データと改変後のデータを示す図である。
【符号の説明】
【００６１】
１…コンテンツ配信システム、１０…携帯電話、１００…コンテンツ配信サーバ、１０１…中央演算装置、１０２…メモリ、１０３…操作制御部、１０４…キーボード、１０７…バス、１０８…ネットワークインターフェース、１２０…データベース、２００…インターネット
【図１】
2010044642.tif 000003
【図２】
2010044642.tif 000004
【図３】
2010044642.tif 000005
【図４】
2010044642.tif 000006
【図５】
2010044642.tif 000007
【図６】
2010044642.tif 000008
【図７】
2010044642.tif 000009
【図８】
2010044642.tif 000010
【図９】
2010044642.tif 000011
【図１０】
2010044642.tif 000012
【図１１】
2010044642.tif 000013
【図１２】
2010044642.tif 000014
【図１３】
2010044642.tif 000015